(57)【要約】【課題】  本入力した検索キーワードとマッチするタイトル等が表示された画面を見た使用者が、迷わず閲覧したくなるようなホームページを提供する。【解決手段】  ホームページを提供するホームページサーバ装置（１）を、ホームページレイアウトを規定するためのテンプレート（５１）を複数種と、各テンプレートに嵌め込むためのパーツ群（５３，５５，５７）とを設けておき、クライアント装置（３）使用者が入力した検索キーワードに基づいて、テンプレートとパーツ群とを選択組み合わせしてホームページ（５１´）を作成・提供可能に構成する。検索キーワードに基づいてホームページのレイアウトを変更するので、使用者の属性に適切に対応できるので、ランディングページを閲覧した使用者は、迷わず、提供に係るホームページに訪問する。【選択図】  図４
2007293662.tif 000002
【特許請求の範囲】
【請求項１】
通信回線を介して接続されるクライアント装置にホームページを提供するホームページサーバ装置において、
クライアント装置使用者に閲覧させるためのホームページレイアウトを規定するためのテンプレートを作成するテンプレート作成手段と、
当該テンプレートに嵌め込むためのパーツを作成するパーツ作成手段と、
当該テンプレート作成手段が作成した複数種のテンプレートを、予め定めた１又は２以上の設定キーワードと関連付けて検索可能に格納するテンプレート記憶手段と、
当該パーツ作成手段が作成した複数種のパーツを、当該設定キーワードと関連付けて検索可能に格納するパーツ記憶手段と、
クライアント装置から送信された検索キーワードを読み込むキーワード読み込み手段と、
当該キーワード読み込み手段が読み込んだ検索キーワードと設定キーワードとが一致したときに、当該一致した設定キーワードに関連付けされたテンプレートを当該テンプレート記憶手段から検索するテンプレート検索手段と、
当該キーワード読み込み手段が読み込んだ検索キーワードと設定キーワードとが一致したときに、当該一致した設定キーワードに関連付けされた１又は２以上のパーツを当該パーツ記憶手段から検索するパーツ検索手段と、
当該テンプレート検索手段が検索したテンプレートに、当該パーツ検索手段が検索したパーツを嵌め込んでホームページを作成するホームページ作成手段と、
当該ホームページ作成手段が作成したホームページを、当該検索キーワードを送信してきたクライアント装置に通信回線を介して提供するホームページ提供手段と、を含めて構成してある
ことを特徴とするホームページサーバ装置。
【請求項２】
前記テンプレート検索手段及び前記パーツ検索手段が、提供したホームページに対して行われたクライアント装置の使用者の所定意思表示の回数が所定回数を超えたときに、当該所定回数超えの意思表示の対象とされたテンプレート及びパーツを、他のテンプレート及びパーツよりも優先して検索する
ことを特徴とする請求項１記載のホームページサーバ装置。
【請求項３】
前記ホームページが、クライアント装置使用者に商品及び／又はサービスの購入を促す内容を含むものであり、
前記使用者の所定意思表示が、当該商品及び／又はサービスの購入の意思表示を含むものであり、
前記パーツが、使用者の当該購入の意思表示を示すための購入ボタンを含むものである
ことを特徴とする請求項２記載のホームページサーバ装置。
【請求項４】
前記パーツが、前記検索キーワードと連動して購入を促す表示を含むものである
ことを特徴とする請求項３記載のホームページサーバ装置。
【請求項５】
通信回線を介して接続されるクライアント装置にホームページサーバ装置からホームページを提供するホームページ提供方法において、
クライアント装置使用者に閲覧させるためのホームページレイアウトを規定するためのテンプレートを作成するテンプレート作成手順と、
当該テンプレートに貼り付けるための貼り付けパーツを作成するパーツ作成手順と、
当該テンプレート作成手順で作成した複数種のテンプレートを、予め定めた１又は２以上の設定キーワードと関連付けて検索可能に格納するテンプレート記憶手順と、
当該パーツ作成手順で作成した複数種のパーツを、当該設定キーワードと関連付けて検索可能に格納するパーツ記憶手順と、
クライアント装置から送信された検索キーワードを読み込むキーワード読み込み手順と、
当該キーワード読み込み手順で読み込んだ検索キーワードと設定キーワードとが一致したときに、当該一致した設定キーワードに関連付けされたテンプレートを検索するテンプレート検索手順と、
当該キーワード読み込み手順で読み込んだ検索キーワードと設定キーワードとが一致したときに、当該一致した設定キーワードに関連付けされた１又は２以上のパーツを検索するパーツ検索手順と、
当該テンプレート検索手順で検索したテンプレートに、当該パーツ検索手順で検索したパーツを嵌め込んでホームページを作成するホームページ作成手順と、
当該ホームページ作成手順で作成したホームページを、当該検索キーワードを送信してきたクライアント装置からの提供要求を待って提供するホームページ提供手順と、を含む
ことを特徴とするホームページ提供方法。
【請求項６】
前記テンプレート検索手順及び前記パーツ検索手順において、提供したホームページに対して行われたクライアント装置の使用者の所定意思表示の回数が所定回数を超えたときに、当該所定回数超えの意思表示の対象とされたテンプレート及びパーツを、他のテンプレート及びパーツよりも優先して検索する
ことを特徴とする請求項５記載のホームページ提供方法。
【請求項７】
前記ホームページが、クライアント装置使用者に商品及び／又はサービスの購入を促す内容を含むものであり、
前記使用者の所定意思表示が、当該商品及び／又はサービスの購入の意思表示を含むものであり、
前記パーツが、使用者の当該購入の意思表示を示すための購入ボタンを含むものである
ことを特徴とする請求項６記載のホームページ提供方法。
【請求項８】
前記パーツが、前記検索キーワードと連動して購入を促す表示を含むものである
ことを特徴とする請求項７記載のホームページ提供方法。
【請求項９】
通信回線を介して接続されるクライアント装置にホームページを提供するホームページサーバ装置を駆動するための電子計算機用プログラムにおいて、
クライアント装置使用者に閲覧させるためのホームページレイアウトを規定するためのテンプレートを作成するテンプレート作成処理と、
当該テンプレートに貼り付けるための貼り付けパーツを作成するパーツ作成処理と、
当該テンプレート作成処理によって作成した複数種のテンプレートを、予め定めた１又は２以上の設定キーワードと関連付けて検索可能に格納するテンプレート記憶処理と、
当該パーツ作成処理によって作成した複数種のパーツを、当該設定キーワードと関連付けて検索可能に格納するパーツ記憶処理と、
クライアント装置から送信された検索キーワードを読み込むキーワード読み込み処理と、
当該キーワード読み込み処理によって読み込んだ検索キーワードと設定キーワードとが一致したときに、当該一致した設定キーワードに関連付けされたテンプレートを検索するテンプレート検索処理と、
当該キーワード読み込み処理によって読み込んだ検索キーワードと設定キーワードとが一致したときに、当該一致した設定キーワードに関連付けされた１又は２以上のパーツを検索するパーツ検索処理と、
当該テンプレート検索処理によって検索したテンプレートに、当該パーツ検索処理によって検索したパーツを嵌め込んでホームページを作成するホームページ作成処理と、
当該ホームページ作成処理によって作成したホームページを、当該検索キーワードを送信してきたクライアント装置からの提供要求を待って提供するホームページ提供処理と、を含めて実行させる
ことを特徴とする電子計算機用プログラム。
【請求項１０】
前記テンプレート検索処理及び前記パーツ検索処理が、提供したホームページに対して行われたクライアント装置の使用者の所定意思表示の回数が所定回数を超えたときに、当該所定回数超えの意思表示の対象とされたテンプレート及びパーツを、他のテンプレート及びパーツよりも優先して検索するように設定してある
ことを特徴とする請求項９記載の電子計算機用プログラム。
【請求項１１】
前記ホームページが、クライアント装置使用者に商品及び／又はサービスの購入を促す内容を含むものであり、
前記使用者の所定意思表示が、当該商品及び／又はサービスの購入の意思表示を含むものであり、
前記パーツが、使用者の当該購入の意思表示を示すための購入ボタンを含むものである
ことを特徴とする請求項１０記載の電子計算機用プログラム。
【請求項１２】
前記パーツが、前記検索キーワードと連動して購入を促す表示を含むものである
ことを特徴とする請求項１１記載の電子計算機用プログラム。
【発明の詳細な説明】
【技術分野】
【０００１】
本発明は、ホームページサーバ装置、ホームページ提供方法、及び電子計算機用プログラムに関するものである。
【背景技術】
【０００２】
従来のホームページサーバ装置として、たとえば、特許文献１に記載されたサーバ装置（以下、適宜「従来のサーバ装置」という）がある。従来のサーバ装置は、クライアント装置（端末）によって行われたキーワード検索に対して、その検索結果として表示されるリスト（ランディングページ）の中で上位に順位付けされることを目的として開発されたものである。具体的には、ロボット検索エンジンのキーワードとして取得される検索キーワードを設けた下敷き情報を、ホームページ（ウェブコンテンツページ）の表記情報に含ませている。
【特許文献１】特開２００１−２６５７９０号公報（段落００１１、００５８）
【発明の開示】
【発明が解決しようとする課題】
【０００３】
しかしながら、従来のサーバ装置によれば、上記構成により表示リスト上位に順位付けされるとしても、そこに表示されるタイトルや説明文（紹介文）がクライアント装置の使用者の興味を強くひくような、すなわち、使用者がそのタイトルを迷わずクリックしてしまうような内容のものでなければ、その順位付けされた意味が薄れてしまう。表示リストの上位に表示されることは重要であるが、表示されたタイトルをクリックしてもらうこと、すなわち、ホームページを開いてその内容を使用者に閲覧してもらうことが、ホームページ提供者にとってもっとも大切な要素である。本発明が解決しようとする課題は、キーワード検索の結果、表示される表示リストに表示されるタイトルや説明文等が、入力した検索キーワードとクライアント装置使用者の興味を強く引くようにすること、すなわち、それらタイトルをクリックして閲覧したくなるようなホームページを作成することにある。換言すれば、入力した検索キーワードとマッチするタイトル等が表示された画面を見た使用者が、迷わず閲覧したくなるようなホームページを提供するためのホームページサーバ装置、ホームページ提供方法、及び電子計算機用プログラムを提供することにある。
【課題を解決するための手段】
【０００４】
上記課題を解決するために鋭意開発を行った発明者らは、同じ検索キーワードであっても、使用者によって切り口が違うことに着目した。たとえば、旅行を計画している使用者を想定する。単に旅行といっても、それが、たとえば、湯治のための旅行なのか、家族全員で行く旅行なのか、新婚旅行なのか、卒業旅行なのか、というように、その目的や旅行する者の構成等、すなわち、使用者の属性が大きく異なる。属性が異なるから使用者の切り口が異なってくるのである。検索キーワードは、特に、それが、複数組み合わせたものである場合に、その使用者の属性が現れやすい。たとえば、「旅行」というキーワードに加え、「温泉」というキーワードが使われれば、一般的にいって湯治目的の旅行や家族旅行の可能性が高いといえ、上記例における「温泉」の代わりに「海外」というキーワードが使われれば、新婚旅行や卒業旅行についての情報が求められている可能性が高いといえる。このような使用者の属性に着目すれば、求められる情報を検索を行った使用者に高確率で届けることができる。この点、情報提供者、すなわち上記例における旅行サービス提供者にしてみれば、自己の情報を強く求める者に高確率で届けることができれば、それだけ情報提供の意味付けを高めることができることになる。つまり、旅行ビジネスの成立率を、高めることができる。使用者の属性に着目して課題解決を図ったものが、以下に説明する発明である。その詳しい内容については、項を改めて説明する。なお、いずれかの請求項記載の発明を説明するに当たって行う用語の定義等は、発明のカテゴリの違いや記載順等に関わらず、その性質上可能な範囲において他の請求項記載の発明にも適用されるものとする。
【０００５】
（請求項１記載の発明の特徴）
請求項１記載の発明に係るホームページサーバ装置（以下、適宜「請求項１のサーバ装置」という）は、通信回線を介して接続されるクライアント装置にホームページを提供するサーバ装置である。具体的には、クライアント装置使用者に閲覧させるためのホームページレイアウトを規定するためのテンプレートを作成するテンプレート作成手段と、当該テンプレートに貼り付けるための貼り付けパーツを作成するパーツ作成手段と、当該テンプレート作成手段が作成した複数種のテンプレートを、予め定めた１又は２以上の設定キーワードと関連付けて検索可能に格納するテンプレート記憶手段と、当該パーツ作成手段が作成した複数種のパーツを、当該設定キーワードと関連付けて検索可能に格納するパーツ記憶手段と、クライアント装置から送信された検索キーワードを読み込むキーワード読み込み手段と、を含めて構成したサーバ装置である。併せて、当該キーワード読み込み手段が読み込んだ検索キーワードと設定キーワードとが一致したときに、当該一致した設定キーワードに関連付けされたテンプレートを当該テンプレート記憶手段から検索するテンプレート検索手段と、当該キーワード読み込み手段が読み込んだ検索キーワードと設定キーワードとが一致したときに、当該一致した設定キーワードに関連付けされた１又は２以上のパーツを当該パーツ記憶手段から検索するパーツ検索手段と、当該テンプレート検索手段が検索したテンプレートに、当該パーツ検索手段が検索したパーツを嵌め込んでホームページを作成するホームページ作成手段と、当該ホームページ作成手段が作成したホームページを、当該検索キーワードを送信してきたクライアント装置からの提供要求を待って提供するホームページ提供手段と、を含めて構成してある。
【０００６】
請求項１のサーバ装置によれば、テンプレート作成手段が複数種のテンプレートを、パーツ作成手段が複数種のパーツを、それぞれ作成する。サーバ装置は、１台のコンピュータによって構成してもよいし、必要に応じて２台以上のコンピュータによって構成してもよい。複数のコンピュータによって構成する場合に、上記手段を各コンピュータに分担設置することもできる。作成されたテンプレートはテンプレート記憶手段に、また、同じくパーツはパーツ記憶手段に、それぞれ格納される。キーワード読み込み手段は、送信されたホームページ送信要求信号に含まれるキーワード（検索キーワード）を読み込む。検索キーワードは、テンプレート記憶手段に格納されたテンプレートに関連付けられた設定キーワードとの一致不一致が確認され、一致したときに当該設定キーワードに関連付けられたテンプレートが検索される。パーツ記憶手段に格納されたパーツも、テンプレートと同様な手順によって検索される。ここで、検索キーワードに関連するテンプレート及びパーツが揃った。揃ったテンプレートに同じくパーツを嵌め込んでホームページを作成する。すなわち、ＨＴＭＬに変換する。作成は、ホームページ作成手段が行う。作成されたホームページ（ＨＴＭＬ）は、ホームページ提供手段によって、検索キーワードを送信してきたクライアント装置からの提供要求を待って提供される。クライアント装置に提供されたホームページ（ＨＴＭＬ）は、使用者の閲覧に供され、これによって使用者は自己が求めた情報を得ることができる。テンプレートやパーツを、使用者の属性に合わせて設計しておけば、検索キーワードに反映された使用者の属性に合わせたホームページ提供が実現する。すなわち、検索キーワードに関連するテンプレート及びパーツを用いてホームページを構成しているので、検索キーワードの属性がランディングページのタイトルや説明文等に色濃く反映する。これが、使用者（ホームページ閲覧者）に、当該タイトルのクリックを強く促すことになる。クリックされることにより、使用者が求める情報を高確率で提供される。
【０００７】
（請求項２記載の発明の特徴）
請求項２記載の発明に係るホームページサーバ装置（以下、適宜「請求項２のサーバ装置」という）には、請求項１のサーバ装置の基本的構成を備えさせた上で、前記テンプレート検索手段及び前記パーツ検索手段が、提供したホームページに対して行われたクライアント装置の使用者の所定意思表示の回数が所定回数を超えたときに、当該所定回数超えの意思表示の対象とされたテンプレート及びパーツを、他のテンプレート及びパーツよりも優先して検索するように構成してある。
【０００８】
請求項２のサーバ装置によれば、請求項１のサーバ装置の作用効果に加え、使用者が求める情報を、より高確率で提供することができる。すなわち、特定のテンプレートやパーツを含むホームページに対して使用者が繰り返して所定の意思表示を行ったのであれば、そのテンプレートやパーツは、その意思表示に係る検索キーワードに対して極めて適正なものであるといえる。すなわち、使用者の属性に的確に対応したホームページであるといえる。このため、意思表示が繰り返されたテンプレートやパーツを優先的に検索するようにすることによって、使用者が求める情報を、より高確率で提供可能となるのである。
【０００９】
（請求項３記載の発明の特徴）
請求項３記載の発明に係るホームページサーバ装置（以下、適宜「請求項３のサーバ装置」という）には、請求項２のサーバ装置の基本的構成を備えさせた上で、前記ホームページが、クライアント装置使用者に商品及び／又はサービスの購入を促す内容を含ませて構成してあり、前記使用者の所定意思表示が、当該商品及び／又はサービスの購入の意思表示を含ませて構成してあり、かつ、前記パーツが、使用者の当該購入の意思表示を示すための購入ボタンを含めて構成してある。
【００１０】
請求項３のサーバ装置によれば、請求項２のサーバ装置の作用効果に加え、ホームページを閲覧した使用者に、商品及び／又はサービスの購入を決断させやすい視覚環境（アイキャッチ）を提供することができる。すなわち、発明者らが行った実験の結果や経験則等によれば、たとえば、購入ボタンは、商品及び／又はサービスの特徴等を示す文字や図形の近くに配することが、購買を決断させる上で効果的である。表示レイアウトは、様々にデザインされるものであり、そのようなデザインの違いに応じて特徴等を示す文字等の位置も異なってくる。異なるデザインの表示レイアウトに実験結果等に基づいた法則を当てはめて購入ボタンの配置を設定するようにすれば、さらに効果的な情報提供を行うことができる。
【００１１】
（請求項４記載の発明の特徴）
請求項４記載の発明に係るホームページサーバ装置（以下、適宜「請求項４のサーバ装置」という）には、請求項３のサーバ装置の基本的構成を備えさせた上で、前記パーツが、前記検索キーワードと連動して購入を促す表示を含めて構成してある。
【００１２】
請求項４のサーバ装置によれば、請求項３のサーバ装置の作用効果に加え、たとえば、購入を促すキャッチフレーズや図柄等をパーツとして、これをテンプレートに嵌め込むようにすれば、作成したホームページがより販促効果の高いものとすることができる。たとえば、食品販売を目的とするホームページに、「おいしいよ！」という文字を入れたり、綺麗に盛り付けた調理例の写真を入れることによって、使用者の食品購入を効果的に促すことができる。
【００１３】
（請求項５記載の発明の特徴）
請求項５記載の発明に係るホームページ提供方法（以下、適宜「請求項５の提供方法」という）は、通信回線を介して接続されるクライアント装置にホームページサーバ装置からホームページを提供するホームページ提供方法である。具体的には、クライアント装置使用者に閲覧させるためのホームページレイアウトを規定するためのテンプレートを作成するテンプレート作成手順と、当該テンプレートに貼り付けるための貼り付けパーツを作成するパーツ作成手順と、当該テンプレート作成手順で作成した複数種のテンプレートを、予め定めた１又は２以上の設定キーワードと関連付けて検索可能に格納するテンプレート記憶手順と、当該パーツ作成手順で作成した複数種のパーツを、当該設定キーワードと関連付けて検索可能に格納するパーツ記憶手順と、を、まず、含めてある。テンプレート作成とパーツ作成とは、いずれを先に行ってもよく、また、両者を互い違いに作成することもできる。また、作成したテンプレートやパーツに、適宜修正を加えたり、削除・追加することも妨げない。作成と同様に記憶においても、テンプレート記憶手順とパーツ記憶手順とは、いずれを先に格納してもよく、また、両者を互い違いに格納してもよい。さらに、クライアント装置から送信された検索キーワードを読み込むキーワード読み込み手順と、当該キーワード読み込み手順で読み込んだ検索キーワードと設定キーワードとが一致したときに、当該一致した設定キーワードに関連付けされたテンプレートを検索するテンプレート検索手順と、当該キーワード読み込み手順で読み込んだ検索キーワードと設定キーワードとが一致したときに、当該一致した設定キーワードに関連付けされた１又は２以上のパーツを検索するパーツ検索手順と、当該テンプレート検索手順で検索したテンプレートに、当該パーツ検索手順で検索したパーツを嵌め込んでホームページを作成するホームページ作成手順と、当該ホームページ作成手順で作成したホームページを、当該キーワードを送信してきたクライアント装置に通信回線を介して提供するホームページ提供手順と、を、請求項５の提供方法に含めてある。
【００１４】
請求項５の提供方法によれば、請求項１のサーバ装置の作用効果と同様な作用効果が実現する。すなわち、請求項５の提供方法によれば、テンプレート作成手順では複数種のテンプレートを、パーツ作成手段では複数種のパーツを、それぞれ作成する。作成されたテンプレート及びパーツは、それぞれ格納される。キーワード読み込み手順では、送信されたホームページ送信要求信号に含まれるキーワード（検索キーワード）を読み込む。検索キーワードは、格納されたテンプレートに関連付けられた設定キーワードとの一致不一致が確認され、一致したときに当該設定キーワードに関連付けられたテンプレートが検索される。格納されていたパーツも、テンプレートと同様な手順によって検索される。ここで、検索キーワードに関連するテンプレート及びパーツが揃った。揃ったテンプレートに同じくパーツを嵌め込んでホームページを作成する。すなわち、ＨＴＭＬに変換する。これが、ホームページ作成手順である。作成されたホームページ（ＨＴＭＬ）は、検索キーワードを送信してきたクライアント装置からの提供要求を待って提供される。クライアント装置に提供されたホームページ（ＨＴＭＬ）は、使用者の閲覧に供され、これによって使用者は自己が求めた情報を得ることができる。テンプレートやパーツを、使用者の属性に合わせて設計しておけば、検索キーワードに反映された使用者の属性に合わせたホームページ提供が実現する。すなわち、検索キーワードに関連するテンプレート及びパーツを用いてホームページを構成しているので、検索キーワードの属性がランディングページのタイトルや説明文等に色濃く反映する。これが、使用者（ホームページ閲覧者）に、当該タイトルのクリックを強く促すことになる。クリックされることにより、使用者が求める情報を高確率で提供される。
【００１５】
（請求項６記載の発明の特徴）
請求項６記載の発明に係るホームページ提供方法（以下、適宜「請求項６の提供方法」という）では、請求項５の提供方法に加え、前記テンプレート検索手順及び前記パーツ検索手順において、提供したホームページに対して行われたクライアント装置の使用者の所定意思表示の回数が所定回数を超えたときに、当該所定回数超えの意思表示の対象とされたテンプレート及びパーツを、他のテンプレート及びパーツよりも優先して検索する。
【００１６】
請求項６の提供方法によれば、請求項２のサーバ装置の作用効果と同様な作用効果が実現する。すなわち、請求項６の提供方法によれば、請求項５の提供方法の作用効果に加え、使用者が求める情報を、より高確率で提供することができる。すなわち、特定のテンプレートやパーツを含むホームページに対して使用者が繰り返して所定の意思表示を行ったのであれば、そのテンプレートやパーツは、その意思表示に係る検索キーワードに対して極めて適正なものであるといえる。すなわち、使用者の属性に的確に対応したホームページであるといえる。このため、意思表示が繰り返されたテンプレートやパーツを優先的に検索するようにすることによって、使用者が求める情報を、より高確率で提供可能となるのである。
【００１７】
（請求項７記載の発明の特徴）
請求項７記載の発明に係るホームページ提供方法（以下、適宜「請求項７の提供方法」という）では、請求項６の提供方法に加え、前記ホームページが、クライアント装置使用者に商品及び／又はサービスの購入を促す内容を含むものであり、前記使用者の所定意思表示が、当該商品及び／又はサービスの購入の意思表示を含むものであり、前記パーツが、使用者の当該購入の意思表示を示すための購入ボタンを含むもので構成してある。
【００１８】
請求項７の提供方法によれば、請求項３のサーバ装置の作用効果と同様な作用効果が実現する。すなわち、請求項６の提供方法の作用効果に加え、ホームページを閲覧した使用者に、商品及び／又はサービスの購入を決断させやすい視覚環境（アイキャッチ）を提供することができる。すなわち、発明者らが行った実験の結果や経験則等によれば、たとえば、購入ボタンは、商品及び／又はサービスの特徴等を示す文字や図形の近くに配することが、購買を決断させる上で効果的である。表示レイアウトは、様々にデザインされるものであり、そのようなデザインの違いに応じて特徴等を示す文字等の位置も異なってくる。異なるデザインの表示レイアウトに実験結果等に基づいた法則を当てはめて購入ボタンの配置を設定するようにすれば、さらに効果的な情報提供を行うことができる。
【００１９】
（請求項８記載の発明の特徴）
請求項８記載の発明に係るホームページ提供方法（以下、適宜「請求項８の提供方法」という）では、請求項７の提供方法に加え、前記パーツが、前記検索キーワードと連動して購入を促す表示を含むもので構成してある。
【００２０】
請求項８の提供方法によれば、請求項４のサーバ装置の作用効果と同様な作用効果が実現する。すなわち、請求項６の提供方法の作用効果に加え、たとえば、購入を促すキャッチフレーズや図柄等をパーツとして、これをテンプレートに嵌め込むようにすれば、作成したホームページがより販促効果の高いものとすることができる。たとえば、食品販売を目的とするホームページに、「おいしいよ！」という文字を入れたり、綺麗に盛り付けた調理例の写真を入れることによって、使用者の食品購入を効果的に促すことができる。
【００２１】
（請求項９記載の発明の特徴）
請求項９記載の発明に係る電子計算機用プログラムは（以下、適宜「請求項９のプログラム」という）は、通信回線を介して接続されるクライアント装置にホームページを提供するホームページサーバ装置を駆動するためのプログラムである。具体的には、クライアント装置使用者に閲覧させるためのホームページレイアウトを規定するためのテンプレートを作成するテンプレート作成処理と、当該テンプレートに貼り付けるための貼り付けパーツを作成するパーツ作成処理と、当該テンプレート作成処理によって作成した複数種のテンプレートを、予め定めた１又は２以上の設定キーワードと関連付けて検索可能に格納するテンプレート記憶処理と、当該パーツ作成処理によって作成した複数種のパーツを、当該設定キーワードと関連付けて検索可能に格納するパーツ記憶処理と、クライアント装置から送信された検索キーワードを読み込むキーワード読み込み処理と、当該キーワード読み込み処理によって読み込んだ検索キーワードと設定キーワードとが一致したときに、当該一致した設定キーワードに関連付けされたテンプレートを検索するテンプレート検索処理と、当該キーワード読み込み処理によって読み込んだ検索キーワードと設定キーワードとが一致したときに、当該一致した設定キーワードに関連付けされた１又は２以上のパーツを検索するパーツ検索処理と、当該テンプレート検索処理によって検索したテンプレートに、当該パーツ検索処理によって検索したパーツを嵌め込んでホームページを作成するホームページ作成処理と、当該ホームページ作成処理によって作成したホームページを、当該キーワードを送信してきたクライアント装置に通信回線を介して提供するホームページ提供処理と、を含めて実行させるプログラムである。
【００２２】
請求項９のプログラムによれば、請求項１のサーバ装置の作用効果と同様な作用効果が実現する。すなわち、請求項９のプログラムによれば、テンプレート作成処理では複数種のテンプレートを、パーツ作成手段では複数種のパーツを、それぞれ作成する。作成されたテンプレート及びパーツは、それぞれ格納される。キーワード読み込み処理では、送信されたホームページ送信要求信号に含まれるキーワード（検索キーワード）を読み込む。検索キーワードは、格納されたテンプレートに関連付けられた設定キーワードとの一致不一致が確認され、一致したときに当該設定キーワードに関連付けられたテンプレートが検索される。格納されていたパーツも、テンプレートと同様な処理によって検索される。ここで、検索キーワードに関連するテンプレート及びパーツが揃った。揃ったテンプレートに同じくパーツを嵌め込んでホームページを作成する。すなわち、ＨＴＭＬに変換する。これが、ホームページ作成処理である。作成されたホームページ（ＨＴＭＬ）は、検索キーワードを送信してきたクライアント装置からの提供要求を待って提供される。クライアント装置に提供されたホームページ（ＨＴＭＬ）は、使用者の閲覧に供され、これによって使用者は自己が求めた情報を得ることができる。テンプレートやパーツを、使用者の属性に合わせて設計しておけば、検索キーワードに反映された使用者の属性に合わせたホームページ提供が実現する。すなわち、検索キーワードに関連するテンプレート及びパーツを用いてホームページを構成しているので、検索キーワードの属性がランディングページのタイトルや説明文等に色濃く反映する。これが、使用者（ホームページ閲覧者）に、当該タイトルのクリックを強く促すことになる。クリックされることにより、使用者が求める情報を高確率で提供される。
【００２３】
（請求項１０記載の発明の特徴）
請求項１０記載の発明に係る電子計算機用プログラム（以下、適宜「請求項１０のプログラム」という）では、請求項９のプログラムに加え、前記テンプレート検索処理及び前記パーツ検索処理が、提供したホームページに対して行われたクライアント装置の使用者の所定意思表示の回数が所定回数を超えたときに、当該所定回数超えの意思表示の対象とされたテンプレート及びパーツを、他のテンプレート及びパーツよりも優先して検索するように設定してある。
【００２４】
請求項１０のプログラムによれば、請求項２のサーバ装置の作用効果と同様な作用効果が実現する。すなわち、請求項１０のプログラムによれば、請求項９のプログラムの作用効果に加え、使用者が求める情報を、より高確率で提供することができる。すなわち、特定のテンプレートやパーツを含むホームページに対して使用者が繰り返して所定の意思表示を行ったのであれば、そのテンプレートやパーツは、その意思表示に係る検索キーワードに対して極めて適正なものであるといえる。すなわち、使用者の属性に的確に対応したホームページであるといえる。このため、意思表示が繰り返されたテンプレートやパーツを優先的に検索するようにする
【００２５】
（請求項１１記載の発明の特徴）
請求項１１記載の発明に係る電子計算機用プログラム（以下、適宜「請求項１１のプログラム」という）は、請求項１０のプログラムに加え、前記ホームページが、クライアント装置使用者に商品及び／又はサービスの購入を促す内容を含むものであり、前記使用者の所定意思表示が、当該商品及び／又はサービスの購入の意思表示を含むものであり、前記パーツが、使用者の当該購入の意思表示を示すための購入ボタンを含むものである。
【００２６】
請求項１１のプログラムによれば、請求項３のサーバ装置の作用効果と同様な作用効果が実現する。すなわち、請求項１０のプログラムの作用効果に加え、ホームページを閲覧した使用者に、商品及び／又はサービスの購入を決断させやすい視覚環境（アイキャッチ）を提供することができる。すなわち、発明者らが行った実験の結果や経験則等によれば、たとえば、購入ボタンは、商品及び／又はサービスの特徴等を示す文字や図形の近くに配することが、購買を決断させる上で効果的である。表示レイアウトは、様々にデザインされるものであり、そのようなデザインの違いに応じて特徴等を示す文字等の位置も異なってくる。異なるデザインの表示レイアウトに実験結果等に基づいた法則を当てはめて購入ボタンの配置を設定するようにすれば、さらに効果的な情報提供を行うことができる。
【００２７】
（請求項１２記載の発明の特徴）
請求項１２記載の発明に係る電子計算機用プログラム（以下、適宜「請求項１２のプログラム」という）は、請求項１１のプログラムに加え、前記パーツが、前記検索キーワードと連動して購入を促す表示を含むものである。
【００２８】
請求項１２のプログラムによれば、請求項４のサーバ装置の作用効果と同様な作用効果が実現する。すなわち、請求項１１のプログラムの作用効果に加え、たとえば、購入を促すキャッチフレーズや図柄等をパーツとして、これをテンプレートに嵌め込むようにすれば、作成したホームページがより販促効果の高いものとすることができる。たとえば、食品販売を目的とするホームページに、「おいしいよ！」という文字を入れたり、綺麗に盛り付けた調理例の写真を入れることによって、使用者の食品購入を効果的に促すことができる。
【発明の効果】
【００２９】
本発明に係るホームページサーバ装置、ホームページ提供方法、及び電子計算機用プログラムによれば、入力した検索キーワードとマッチするタイトル等が表示された画面を見た使用者が、迷わず閲覧したくなるようなホームページを提供することができる。
【発明を実施するための最良の形態】
【００３０】
各図を参照しながら本発明の実施形態について説明する。図１は、ホームページサーバ装置の設置例を示す概略構成図である。図２は、ホームページサーバ装置及びクライアント装置の構造を示すブロック図である。図３は、ランディングページの概略図である。図４は、テンプレート群とパーツ群の概略図である。図５は、パーツ付きテンプレートの概略図である。図６は、ホームページサーバ装置及びクライアント装置の動作を示すフローチャートである。
【００３１】
（ホームページサーバ装置の設置例）
図１を参照しながら、ホームページサーバ装置の設置例について説明する。ホームページサーバ装置１（以下、単に「サーバ装置１」という）は、通信回線１０１を介して相互通信可能なクライアント装置３に接続してある。通信回線１０１には、電話回線やＬＡＮ（Ｌｏｃａｌ  Ａｒｅａ  Ｎｅｔｗｏｒｋ）等の回線を適宜採用することもできるが、本実施形態では汎用性を考慮してインターネットに接続してある。このため、サーバ装置１及びクライアント装置３はＷＷＷ（Ｗｏｒｌｄ  Ｗｉｄｅ  Ｗｅｂ）サーバ及びクライアントとして処理するように構成してある。なお、本実施形態では、サーバ装置１は１台のコンピュータから構成してあるが、必要に応じて相互通信可能な複数のコンピュータから構成することもできる。本実施形態では、説明を容易にするためにクライアント装置使用者（以下、単に「使用者」という）の数を一人としているが、一般には複数の使用者によって複数のクライアント装置が設置される。
【００３２】
（ホームページサーバ装置の構造）
図１及び２を参照しながら、サーバ装置１の構造について説明する。サーバ装置１は、汎用コンピュータ（サーバ、ワークステーション等）により基本構成した情報処理装置であり、ホームページを公開するサイト運営者によって運営される。サーバ装置１は、テンプレート作成手段として処理するテンプレート作成部１１と、パーツ作成手段として処理するパーツ作成部１３と、テンプレート検索手段として処理するテンプレート検索部１５と、パーツ検索手段として処理するパーツ検索部１７と、キーワード読み込み手段として処理するキーワード読み込み部１８と、ホームページ提供手段として処理する送受信部（ホームページ提供部）１９と、テンプレート記憶手段として処理するテンプレート記憶部２１と、パーツ記憶手段として処理するパーツ記憶部２３と、ホームページ作成手段として処理するホームページ作成部２９と、を備えている。なお、符号２５はプログラム記憶部を、符号２７は制御部を、符号３１は各種情報を入力するためのキーボード及びマウスからなる入力部を、符号３３は液晶画面からなる表示部を、それぞれ示している。
【００３３】
テンプレート作成部１１は、テンプレートを作成する処理を有している。具体的には、入力部３１から入力された各種データに基づいてテンプレートを作成する。テンプレートとは、使用者に閲覧させるためのホームページのレイアウトを規定したものであり、図４左欄において符号５１で示すものが、このテンプレートの典型例である。テンプレート５１は、レイアウトが異なるものを複数種作成し、テンプレート記憶部２１に格納する。格納された各テンプレート５１は、各々後述する設定キーワードと関連付けてあり、キーワード検索できるようになっている。検索は、テンプレート検索部１５が行う。後述するようにテンプレート５１には、パーツを嵌め込むためのフレームが設けてある。パーツ作成部１３は、テンプレート５１に嵌め込むためのパーツを作成する処理を有している。具体的には、入力部３１から入力された各種データに基づいてパーツを作成する。この点、上述したテンプレート５１の作成と共通する。図４右欄において符号５５で示すものが、このパーツの典型例である。パーツ５５は、表現内容や表示方法等の異なるものを複数種作成し、パーツ記憶部２３に格納する。格納された各パーツ５５は、各々後述する設定キーワードと関連付けてあり、キーワード検索できるようになっている。検索は、パーツ検索部１７が行う。
【００３４】
ホームページ作成部２９は、検索によって得たテンプレート５１に同じく検索によって得たパーツ５５を嵌め込みホームページを作成する、具体的には、ＨＴＭＬに変換する処理を有している。図５において符号５１´で示すものが、作成したホームページの典型例である。作成されたホームページは、クライアント装置３の提供要求を待ってホームページ提供手段である送受信部１９を介して提供されるようになっている。
【００３５】
制御部２７は、ＣＰＵやＲＡＭ等から構成してある。制御部２７は、プログラム記憶部２５に記憶されたプログラムに従って、サーバ装置１の各部の制御や、データの転送、種々の演算、データの一時的な格納等を行う。具体的には、制御部２７は、プログラム記憶部２５に記録されたプログラムに従って後述するホームページの作成等を実行する。
【００３６】
プログラム記憶部２５は、制御部２７で実行するための各種プログラムやデータが記憶されている。かかるプログラムには、例えば、クライアント装置使用者に閲覧させるためのホームページレイアウトを規定するためのテンプレートを作成するテンプレート作成処理やテンプレートに貼り付けるための貼り付けパーツを作成するパーツ作成処理等を、サーバ装置１に実行させるためのプログラム等がある。また、プログラム記憶部２５として使用可能な記録媒体としては、例えば、フロッピー（登録商標）ディスク、ハードディスク、ＣＤ−ＲＯＭ、ＤＶＤ−ＲＯＭ、ＭＯやＰＣカード等の光学的・磁気的・電気的な記録媒体がある。さらに、プログラム記憶部２５に格納されたプログラムは通信回線（インターネット）１０１を介して配信も可能である。
【００３７】
（クライアント装置の構造）
図１及び２を参照する。クライアント装置３は、たとえば、ノート型パソコンのような汎用コンピュータにより構成してあり、送受信部６１、入力部６３、表示部６５を設けてある。送受信部６１は、通信回線１０１を介してサーバ装置１が提供するホームページの提供要求をしたり提供されたホームページを受信したりする処理を有している。受信したホームページは、表示部６５に表示される。入力部６３は、たとえば、ホームページの検索を行う際に、キーワードや各種情報等を入力する機能を有している。ホームページの提供要求は、まず検索エンジンを用いてキーワード検索を行い、その結果、表示部６５に表示されたランディングページのタイトル部分をクリックすることにより行うようになっている。
【００３８】
（ホームページサーバ装置の動作手順）
図１乃至６を参照しつつ、サーバ装置１及びクライアント装置３の動作手順について説明する。説明に当たって、次の点を前提とする。まず、図外のコンピュータにおいて作成された複数種のテンプレートがテンプレート記憶部２１に、同じく複数種のパーツがパーツ記憶部２３に、それぞれ格納されているものとする。次に、クライアント装置３は、１台のみが接続されているものとする。
【００３９】
主として図６に示すフローチャートを参照しながら説明を続ける。まず、クライアント装置３の使用者が、自己のクライアント装置３上で検索エンジンのサイト（図示を省略）を立ち上げ、そのサイトの中でキーワード検索を行う。ここでは、一例として「旅行」「温泉」の２語を用いて検索したものとする。キーワード検索に係る信号は、検索エンジンを経由してサーバ装置１に送信される（Ｓ１）。信号を受信したサーバ装置１は、その信号から検索キーワード「旅行」「温泉」を読み込む（Ｓ３１）。検索キーワードの読み込みは、キーワード読み込み部１８が行う。読み込まれた検索キーワードは、テンプレート検索部１５及びパーツ検索部１７が、それぞれテンプレート記憶部２１及びパーツ記憶部２３を検索するときに用いる（Ｓ３３，Ｓ３５）。この検索の結果、検索キーワードと一致する設定キーワードと関連付けられたテンプレート５１（図４参照）が抽出される。検索キーワードに対応するアイキャッチャーに係るパーツ５３、画像等のコンテンツに係るパーツ５５及び使用者に意思表示等を行わせるための申込ボタン等に係るパーツ（ボタン）５７も、併せて抽出される（Ｓ３５，Ｓ３７）。
【００４０】
図４左欄に例示すように、抽出されたテンプレート５１には、破線で示す大きさや形状等の異なる嵌め込み枠５２，・・が多数設けてある。この嵌め込み枠５２，・・の大きさや形状等を含めたレイアウトは、複数あるテンプレート５１，・・各々で異ならせてある。異ならせることによって、レイアウト的にバリエーションのあるホームページ作成を可能とするためである。また、図４右欄に例示すように、抽出されたパーツには、符号５３で示す各種アイキャッチャーに係るパーツ（パーツ群）、符号５５で示す各種コンテンツに係るパーツ（パーツ群）、さらに、符号５７でボタンに係るパーツ（パーツ群）がある。パーツ作成部１３（図２参照）は、前記手順で格納されているテンプレート５１，・・の中から読み出した検索キーワード（すなわち、「旅行」「温泉」）に関連付けられた、すなわち、その検索キーワードに最適と判断されたテンプレート５１に、同じく最適と判断された各パーツ５３，５５，５７を嵌め込み、図５に例示すパーツ付きテンプレート５１を作成する（Ｓ３９）。
【００４１】
Ｓ３９で作成したパーツ付きテンプレート５１は、これをＨＴＭＬに変換して検索エンジン経由でクライアント装置３に送信する（Ｓ４１）。ここで、ＨＴＭＬに変換されたものを、上記パーツ付きテンプレート５１と区別するために、ホームページ５１´と呼ぶことにする。クライアント装置３に送信されたホームページ５１´は、図３に示すように、そのタイトル７３と説明文７５が、ランディングページ７１上にリスト表示される（Ｓ３）。このランディングページ７１が、使用者が行ったキーワード検索の結果一覧である。タイトル７３には、使用者が使用した検索キーワード（「旅行」「温泉」）に深く関連する語句（図示はしていないが、たとえば、「リウマチに効く」や「岩風呂」）、使用者が迷わずクリックしてしまうような吸引力のある語句が表示される。これらの語句が、前記したパーツ群５３，５５，５７に含まれていたアイキャッチャー等である。すなわち、パーツ群５３，５５，５７に、当該検索キーワードとの関係において吸引力のある語句を組み入れておくことにより、ランディングページ７１に表示されたときのホームページ５１´のタイトル７３を、使用者に高確率でクリックさせることができる。しかも、検索キーワードの種類や組み合わせにより、ホームページ５１´のレイアウトやパーツ（語句等）を、適正に変更できるので、クリックさせる確率を落とさずにあらゆる使用者の属性に対応可能である。つまり、使用者の様々な要求に対応することができ、いずれの場合も使用者を自己のホームページ５１´に引き込むための強烈なアピールが可能となる。上記例における「温泉」の代わりに、たとえば、「海外」の語句が検索キーワードとして使用されたとすれば、「温泉」に係るホームページ５１´とは異なった異国情緒が豊かで魅力あるホームページ５１´を提供することができる。
【００４２】
ここで、使用者が、ランディングページ７１に表示された自己ホームページ５１´に係るタイトルをクリックすると、クライアント装置３が画像供給信号を送信する（Ｓ４）。送信された画像要求信号は、検索エンジン経由でサーバ装置１に届く。画像要求信号を受信したサーバ装置１は、ＨＴＭＬに変換済みのホームページ５１´をクライアント装置３に送信する（Ｓ４３）。送信されたホームページ５１´を受信したクライアント装置３は、そのホームページ５１´を表示部６５に表示する（Ｓ５）。表示されたホームページ５１´には、各種アイキャッチャーやコンテンツとともに、申込ボタン５７（「期間限定プランはこちら」「ご予約はこちら」）が含まれている。ここで、使用者が申込ボタン５７をクリックすると、申込要求信号がサーバ装置１に送信される（Ｓ６，Ｓ７）。申込要求信号を受信したサーバ装置１は、クライアント装置３に申込受付信号を送信する（Ｓ４５）とともに、その申込クリックを積算して保存する（Ｓ４７）。申込受付信号を受信したクライアント装置３は、申し込みが受け付けられた旨を表示部に表示する（Ｓ９）。他方、Ｓ６において、使用者が、申込ボタン５７をクリックせずにホームページ５１´から立ち去ったときは、このプログラムは終了する。
【００４３】
サーバ装置１の動作に戻る。Ｓ４９において、申込ボタンのクリック数累計が、予め定めた所定回数を超えたときは、その回数超えを実現したホームページ５１´（パーツ付きテンプレート５１）の当該レイアウト（以下、「特定レイアウト」という）を、当該回数超えを実現した検索キーワード（以下、「特定キーワード」という）との関連付けを行う（Ｓ４９，Ｓ５１）。そして、次回から、上記検索キーワードが使用されたときに、上記した特定レイアウトに係るホームページ５１´を提供する。過去のクリック回数が際立って多いことから、特定キーワードに対して顧客吸引力の高いレイアウトは、上記した特定レイアウトであると推測できるからである。もっとも、使用者の属性や志向等は、時間の経過とともに変化するものであるから、一旦選択した特定レイアウトといえども、所定期間ごとに見直しを行い、適切な修正を加えることが好ましい。
【図面の簡単な説明】
【００４４】
【図１】ホームページサーバ装置の設置例を示す概略構成図である。
【図２】ホームページサーバ装置及びクライアント装置の構造を示すブロック図である。
【図３】ランディングページの概略図である。
【図４】テンプレート群とパーツ群の概略図である。
【図５】パーツ付きテンプレートの概略図である。
【図６】ホームページサーバ装置及びクライアント装置の動作を示すフローチャートである。
【符号の説明】
【００４５】
１                  ホームページサーバ装置
３                  クライアント装置
１１                  テンプレート作成部
１３                  パーツ作成部
１５                  テンプレート検索部
１７                  パーツ検索部
１９                  送受信部
２１                  テンプレート記憶部
２３                  パーツ記憶部
２５                  プログラム記憶部
２７                  制御部
２９                  ホームページ作成部
３１                  入力部
３３                  表示部
５１                  テンプレート
５１´                ホームページ
５３，５５，５７      パーツ
【図１】
2007293662.tif 000003
【図２】
2007293662.tif 000004
【図３】
2007293662.tif 000005
【図４】
2007293662.tif 000006
【図５】
2007293662.tif 000007
【図６】
2007293662.tif 000008